(57)【要約】【課題】加熱時における内圧の上昇を抑制できる蓋付カップ容器を提供する。【解決手段】開口部２ａがシール材２４で密封された有底筒状のカップ体２と、カップ体２に被着され、シール材２４を覆う天壁部２２を有する蓋体３と、天壁部２２に形成された第１貫通孔３１の上方、または第１貫通孔３１内に配置され、シール材２４を破断して開封する開封部材３３と、を備える蓋付カップ容器１であって、開封部材３３には、シール材２４に向けて尖る穿刺体６１が突設されていることを特徴とする。【選択図】図１
2015105102.tif 000002
【特許請求の範囲】
【請求項１】
開口部がシール材で密封された有底筒状のカップ体と、
前記カップ体に被着され、前記シール材を覆う天壁部を有する蓋体と、
前記天壁部に形成された第１貫通孔の上方、または前記第１貫通孔内に配置され、前記シール材を破断して開封する開封部材と、を備える蓋付カップ容器であって、
前記開封部材には、前記シール材に向けて尖る穿刺体が突設されていることを特徴とする蓋付カップ容器。
【請求項２】
前記開封部材には、指挿入用の第２貫通孔が形成され、
前記穿刺体は、前記第２貫通孔内に位置するとともに、前記第２貫通孔から退避する位置、または前記天壁部の上面視において前記第２貫通孔の開口を広げる位置に移動自在とされていることを特徴とする請求項１記載の蓋付カップ容器。
【発明の詳細な説明】
【技術分野】
【０００１】
本発明は、蓋付カップ容器に関する。
【背景技術】
【０００２】
従来から、蓋付カップ容器として、開口部がシール材で密封された有底筒状のカップ体と、カップ体に被着され、シール材を覆う天壁部を有する蓋体と、天壁部に連結されてシール材を破断して開封する開封部材と、を備えた構成が知られている（例えば、下記特許文献１参照）。
【先行技術文献】
【特許文献】
【０００３】
【特許文献１】実用新案登録第２５８９１５１号公報
【発明の概要】
【発明が解決しようとする課題】
【０００４】
しかしながら、上述した従来の蓋付カップ容器にあっては、例えば電子レンジや湯せん等によってカップ体内の内容物を加熱する際、カップ本体の内圧が過度に高くなるおそれがあった。
【０００５】
本発明は、このような事情に鑑みてなされたものであって、加熱時における内圧の上昇を抑制できる蓋付カップ容器を提供することを目的としている。
【課題を解決するための手段】
【０００６】
上記課題を解決するために、本発明は以下の手段を提案している。
本発明に係る蓋付カップ容器は、開口部がシール材で密封された有底筒状のカップ体と、前記カップ体に被着され、前記シール材を覆う天壁部を有する蓋体と、前記天壁部に形成された第１貫通孔の上方、または前記第１貫通孔内に配置され、前記シール材を破断して開封する開封部材と、を備える蓋付カップ容器であって、前記開封部材には、前記シール材に向けて尖る穿刺体が突設されていることを特徴としている。
【０００７】
この構成によれば、内容物の加熱によるカップ体の内圧上昇に伴い、シール材が上方に膨出したとき、シール材のうち、第１貫通孔内に進入した部分が穿刺体の先端部に当接することで、この当接部分が穿刺されてシール材が開封されることになる。これにより、カップ体内の内容物から発生した蒸気が、シール材のうち穿刺体により形成された穿刺孔を通して外部に逃げる。その結果、カップ体の内圧を開放することができ、加熱時における内圧の上昇を抑制できる。
しかも、第１貫通孔の上方、または第１貫通孔内に配置された開封部材に穿刺体を配設することで、開封部材を押し込む等して、第１貫通孔を通して穿刺体をシール材に当接させることで、シール材に穿刺孔を形成することができる。すなわち、加熱時におけるシール材の膨出時に限らず、加熱前後におけるユーザの任意のタイミングでシール材に穿刺孔を形成することも可能である。その結果、優れた操作性を具備させることができる。
【０００８】
また、前記開封部材には、指挿入用の第２貫通孔が形成され、前記穿刺体は、前記第２貫通孔内に位置するとともに、前記第２貫通孔から退避する位置、または前記天壁部の上面視において前記第２貫通孔の開口を広げる位置に移動自在とされていてもよい。
この構成によれば、穿刺体が第２貫通孔から退避する位置、または天壁部の上面視において第２貫通孔の開口を広げる位置に移動自在とされているため、開封部材によりシール材を開封する際に、第２貫通孔内に指を挿入し易くなる。この場合、開封部材を用いたシール材の開封操作性を阻害することなく、第２貫通孔内に穿刺体を配設することができる。
【発明の効果】
【０００９】
本発明に係る蓋付カップ容器によれば、加熱時における内圧の上昇を抑制できる。
【図面の簡単な説明】
【００１０】
【図１】本実施形態における蓋付カップ容器の容器軸方向に沿う部分断面図である。
【図２】本実施形態における蓋付カップ容器の平面図である。
【図３】本実施形態における蓋体を下方から見た斜視図である。
【図４】本実施形態における蓋付カップ容器の他の構成を示す平面図である。
【図５】本実施形態における蓋付カップ容器の他の構成を示す容器軸方向に沿う部分断面図である。
【図６】本実施形態における蓋付カップ容器の他の構成を示す平面図である。
【図７】本実施形態における蓋付カップ容器の他の構成を示す容器軸方向に沿う部分断面図である。
【図８】本実施形態における蓋付カップ容器の他の構成を示す平面図である。
【図９】本実施形態における蓋付カップ容器の他の構成を示す容器軸方向に沿う部分断面図である。
【発明を実施するための形態】
【００１１】
以下、本発明の実施形態について、図面を参照して説明する。
図１〜図３に示すように、本実施形態の蓋付カップ容器１は、内容物が収容されるとともに、開口部２ａがシール材２４で密封された有底筒状のカップ体２と、カップ体２に被着され、シール材２４を覆う有頂筒状の蓋体３と、蓋体３に着脱可能に装着された有頂筒状のオーバーキャップ４と、を備えている。なお、カップ体２、蓋体３、及びオーバーキャップ４は、それぞれの中心軸が共通軸上に位置している。以下、この共通軸を容器軸Ｏといい、容器軸Ｏに沿うカップ体２側を単に下側、オーバーキャップ４側を単に上側という。さらに、容器軸Ｏ方向から見た平面視で容器軸Ｏに直交する方向を径方向といい、容器軸Ｏ周りに周回する方向を周方向という。
【００１２】
本実施形態において、カップ体２の胴部１１は下方から上方に向かうに従い漸次拡径されている。また、胴部１１の上端縁には、径方向の外側に向かって突出する外フランジ部１２が全周に亘って形成されている。
また、カップ体２の外フランジ部１２には、カップ体２の開口部２ａを上方から覆うシール材２４が貼着されている。これにより、カップ体２がシール材２４で密封されている。なお、シール材２４には、例えば合成樹脂フィルムをアルミニウム等の金属膜で被覆した熱融着性樹脂シートや、樹脂フィルム等が好適に用いられる。また、シール材２４は、接着や、熱溶着、超音波溶着等の各種溶着等、種々の手段を用いて貼着することが可能である。
【００１３】
図１〜図３に示すように、蓋体３は、カップ体２の外フランジ部１２を径方向の外側から囲繞する周壁部２１と、周壁部２１の上端開口部を閉塞する天壁部２２と、周壁部２１よりも小径とされ、天壁部２２から上方に向けて立設された突出筒２３と、を備えている。また、本実施形態において、蓋体３は、天壁部２２の下面が上述したシール材２４に接着や、各種溶着等の手段を用いて貼着されることで、カップ体２に着脱不能に取り付けられている。但し、シール材２４を天壁部２２の下面に貼着せず、周壁部２１をアンダーカット嵌合等の方法により外フランジ部１２に装着し、蓋体３をカップ体２に対して着脱可能に取り付けても構わない。
【００１４】
天壁部２２には、容器軸Ｏ方向に貫通する第１貫通孔３１が形成されている。この第１貫通孔３１は、図２、図３に示すように、径方向のうち一方向Ｌ１に沿って延在しており、容器軸Ｏ方向から見た平面視において、一方向Ｌ１の一端側に矩形部分が位置し、他端側に円形部分が位置する、いわゆる前方後円形状を呈している。なお、第１貫通孔３１のうち、一方向Ｌ１の一端側は他端側に比べて天壁部２２の外周寄りに位置している。なお、以下の説明では、一方向Ｌ１のうち、一端側を前側といい、他端側を後側という。
【００１５】
また、図１〜図３に示すように、天壁部２２のうち、第１貫通孔３１の上方にはシール材２４を破断して蓋付カップ容器１を開封する開封部材３３が配設されている。開封部材３３は、前側に位置する切刃部３４と、後側に位置して切刃部３４に連設された指掛け部３５と、これら切刃部３４及び指掛け部３５間を接続する接続部３６と、を備えている。
【００１６】
切刃部３４は、容器軸Ｏ方向から見た平面視において、一方向Ｌ１に直交する他方向Ｌ２に沿う幅が前側に向かうに従い先細っている。また、切刃部３４には、他方向Ｌ２に沿う両側に向けて突出する一対の突出片３７が連設されている。これら突出片３７は、他方向Ｌ２の外側に向かうに従い一方向Ｌ１における幅が漸次縮小している。具体的に、突出片３７の前端縁は、切刃部３４の前端縁に滑らかに連なり、後端縁は他方向Ｌ２に沿って延在している。また、突出片３７は、その後端縁がそれぞれヒンジ部３８（図２参照）を介して天壁部２２に連結されている。これらヒンジ部３８は、他方向Ｌ２に沿って延在しており、これにより開封部材３３がヒンジ部３８周りに回動可能とされている。
【００１７】
指掛け部３５は、容器軸Ｏ方向から見た平面視で円環状とされ、シール材２４に対して上方に間隔をあけて配設されている。また、指掛け部３５の内側には、開封時における指挿入用の第２貫通孔４１が形成されている。なお、図示の例において、第２貫通孔４１は、容器軸Ｏと同軸状に形成されている。
【００１８】
接続部３６は、容器軸Ｏ方向から見た平面視で矩形状とされるとともに、前側から後側に向かうに従い上方に向けて傾斜して延在している。なお、接続部３６における他方向Ｌ２に沿う中央部、及び指掛け部３５の内周部分における前側に位置する部分は、他の部分に対して肉厚が薄くなっている。
【００１９】
このように、本実施形態の開封部材３３は、切刃部３４、指掛け部３５、接続部３６、及び突出片３７により構成されるとともに、その外形が容器軸Ｏ方向から見た平面視で上述した第１貫通孔３１と同等の形状を呈している。
また、上述したシール材２４は、天壁部２２の下面全体に接着や溶着等の手段を用いて貼着されるとともに、上述した第１貫通孔３１を下方から覆っている。なお、本実施形態において、シール材２４は、開封部材３３のうち、天壁部２２の下面と面一で配置される部分（切刃部３４及び突出片３７）にも貼着されている。
【００２０】
また、天壁部２２のうち、開封部材３３に対して他方向Ｌ２の両側に位置する部分には、一方向Ｌ１に沿って延びる弱化部４３が形成されている。各弱化部４３のうち、一方向Ｌ１で指掛け部３５及び接続部３６と同等に位置する部分は、これら指掛け部３５及び接続部３６に対して他方向Ｌ２に間隔をあけて延在し、切刃部３４及び突出片３７と同等に位置する部分は、これら切刃部３４及び突出片３７の前端縁に沿って延在している。したがって、各弱化部４３は、他方向Ｌ２の両側から開封部材３３を取り囲むとともに、開封部材３３における前端縁で合流している。なお、弱化部４３における後部は容器軸Ｏよりも後側に位置している。
【００２１】
なお、弱化部４３は、開封時において、開封部材３３を含む弱化部４３よりも内側部分を変位可能とする構成であれば構わない。例えば、弱化部４３は、天壁部２２に対して薄肉に形成された薄肉部や、天壁部２２を容器軸Ｏ方向に貫通するスリット、またスリット間に破断可能な連結片を配設する構成等を採用することが可能である。
【００２２】
さらに、天壁部２２のうち、一方向Ｌ１に沿う開封部材３３よりも後側に位置する部分には、他方向Ｌ２に間隔をあけた状態で上方に向けて突出する一対の係止壁５１が配設されている。これら係止壁５１には、他方向Ｌ２に沿う内側に向けて突出する係止突部５１ａが各別に形成されている。そして、各係止壁５１（係止突部５１ａ）には、開封時において開封部材３３の各突出片３７や、天壁部２２のうちヒンジ部３８を介して各突出片３７と折り重なる部分が各別に係止され、開封部材３３の復元変位を規制するようになっている。
【００２３】
突出筒２３は、上端縁が開封部材３３及び係止壁５１よりも上方に位置し、開封部材３３及び係止壁５１を径方向の外側から囲繞している。また、突出筒２３のうち、開封部材３３に対してＬ１方向の後側で対向する部分には、下方に向けて窪む収容部５５が形成されている。この収容部５５は、開封時において開封部材３３の接続部３６が収容されるようになっている。すなわち、開封時において、指掛け部３５は容器軸Ｏ方向から見た平面視において、カップ体２に対して後側に突出した状態となる。
【００２４】
ここで、開封部材３３には、第１貫通孔３１を通して下方に向けて尖る穿刺体６１が突設されている。穿刺体６１は、開封部材３３のうち、一方向Ｌ１における指掛け部３５と接続部３６との境界部分であって、かつ他方向Ｌ２における中央部に位置している。また、穿刺体６１は、下方に向けて漸次先細るとともに、その下端がシール材２４に近接または当接している。図示の例において、穿刺体６１の下端は、第１貫通孔３１よりも上方に位置している。
【００２５】
次に、上述した蓋付カップ容器１の作用を説明する。以下の説明では、例えば電子レンジや湯せん等によって蓋付カップ容器１内の内容物を加熱した後、蓋付カップ容器１を開封する方法について説明する。
まず、内容物を加熱すると、加熱によって蓋付カップ容器１の内圧が上昇するとともに、それに伴ってシール材２４が上方に向けて膨張する。すると、シール材２４のうち、開封部材３３の指掛け部３５及び接続部３６と容器軸Ｏ方向で重なる部分が、第１貫通孔３１を通過して天壁部２２よりも上方に向けて膨張することになる。その後、シール材２４のうち、第１貫通孔３１を通過した部分は、穿刺体６１の下端に接触した後、穿刺体６１により穿刺される。これにより、カップ体２内の内容物から発生した蒸気が、シール材２４のうち穿刺体６１により形成された穿刺孔（不図示）を通して外部に逃げる。その結果、カップ体２の内圧を開放することができ、加熱時における内圧の上昇を抑制できる。
【００２６】
内容物の加熱後、蓋付カップ容器１を開封するには、まず指掛け部３５の第２貫通孔４１内に指を挿入し、指掛け部３５を上方に向けて引き上げ、開封部材３３を、指掛け部３５が上方に位置し、切刃部３４が下方に位置する起立姿勢とする。すなわち、開封部材３３をヒンジ部３８周りに回動させると、開封部材３３における切刃部３４の先端部（下端部）が下降してシール材２４を押圧することで、シール材２４が破断される。これにより、カップ体２内と第１貫通孔３１とがシール材２４の破断部分を通して連通することで、蓋付カップ容器１が開封される。なお、この状態でシール材２４の破断部分を飲み口や注出口として利用することで、蓋付カップ容器１内の内容物を得ることができる。
【００２７】
さらに、蓋付カップ容器１の開封後、指掛け部３５を後側に向けて引き寄せる。すると、シール材２４のうち、切刃部３４及び突出片３７に貼着された部分が、開封部材３３とともに後側に向けて移動する。これにより、シール材２４のうち、弱化部４３に対して他方向Ｌ２の内側に位置する部分が破断される。これにより、シール材２４の破断部分が拡大される。
【００２８】
その後、指掛け部３５を下方に向けて押し込むと、開封部材３３の各突出片３７や、天壁部２２のうちヒンジ部３８を介して各突出片３７と折り重なる部分が各係止壁５１の係止突部５１ａに各別に係止されるとともに、開封部材３３の接続部３６が収容部５５内に収容される。これにより、開封部材３３の復元変位が規制される。なお、上述した説明では、開封部材３３を起立姿勢とした後に、開封部材３３を後側に向けて引き寄せる方法について説明したが、これに限らず、開封前の状態で開封部材３３を後側に向けて引き寄せ、蓋付カップ容器１を開封する構成としても構わない。この場合であっても、シール材２４のうち、切刃部３４及び突出片３７に貼着された部分が、開封部材３３とともに後側に向けて移動することで、蓋付カップ容器１を開封することができる。
【００２９】
このように、本実施形態では、第１貫通孔３１を通してシール材２４に向けて尖る穿刺体６１が開封部材３３に突設されているため、上述したようにカップ体２内の内容物から発生した蒸気が、シール材２４のうち穿刺体６１により形成された穿刺孔（不図示）を通して外部に逃げる。その結果、カップ体２の内圧を開放することができ、加熱時における内圧の上昇を抑制できる。
しかも、第１貫通孔３１の上方に配置された開封部材３３に穿刺体６１を配設することで、開封部材３３を押し込む等して、第１貫通孔３１を通して穿刺体６１をシール材２４に当接させ、シール材２４に穿刺孔を形成することができる。すなわち、加熱時におけるシール材２４の膨出時に限らず、加熱前後におけるユーザの任意のタイミングでシール材２４に穿刺孔を形成することも可能である。その結果、優れた操作性を具備させることができる。
【００３０】
以上、本発明の実施形態について図面を参照して詳述したが、具体的な構成はこの実施形態に限られるものではなく、本発明の要旨を逸脱しない範囲の設計変更等も含まれる。
【００３１】
例えば、上述した実施形態では、開封部材３３の接続部３６に穿刺体６１を配設した場合について説明したが、これに限らず、開封部材３３の任意の位置に穿刺体６１を配設することが可能である。また、開封部材３３のうち、第２貫通孔４１の内側に穿刺体６１を配設してもよく、さらに、第２貫通孔４１内において、第２貫通孔４１から退避する位置、または容器軸Ｏ方向から見て第２貫通孔４１の開口を広げる位置に移動自在に穿刺体６１を配設しても構わない。
【００３２】
具体的に、図４、図５に示す開封部材１０１は、第２貫通孔４１内に位置する回転板１０２と、回転板１０２と指掛け部３５とを回転可能に支持する一対の軸部１０３と、を有している。
【００３３】
回転板１０２は、容器軸Ｏ方向から見た平面視で他方向Ｌ２を長辺方向とする矩形状を呈している。そして、回転板１０２には、下方に向けて穿刺体６１が突設されている。なお、図示の例において、穿刺体６１は、容器軸Ｏ方向から見た平面視で回転板１０２の中心であって、容器軸Ｏと同軸状に延在している。
また、各軸部１０３は、回転板１０２から他方向Ｌ２に沿う両側に向けて突設されるとともに、その他方向Ｌ２に沿う外側端部が第２貫通孔４１の内周縁に連設されている。
【００３４】
この構成によれば、カップ体２の内圧上昇時には、上方に向けて膨張したシール材２４が穿刺体６１に当接することで、穿刺体６１がシール材２４を穿刺して、カップ体２の内圧を開放することができる。
一方、蓋付カップ容器１の開封時において、指掛け部３５の第２貫通孔４１内に指を挿入する際、回転板１０２における前端部または後端部を押し込むことで、回転板１０２が軸部１０３周りに回転する。これにより、回転板１０２が一方向Ｌ１を厚さ方向とする回転姿勢（図５中の鎖線参照）となり、第２貫通孔４１の開口が広がることになる。その結果、開封部材１０１によりシール材２４を開封する際に、第２貫通孔４１内に指を挿入し易くなる。この場合、開封部材１０１を用いたシール材２４の開封操作性を阻害することなく、第２貫通孔４１内に穿刺体６１を配設することができる。
【００３５】
また、図６、図７に示す開封部材２０１は、第２貫通孔４１内に位置する回動板２０２と、回動板２０２と指掛け部３５とを回動可能に支持するヒンジ部２０３と、を有している。
回動板２０２は、容器軸Ｏ方向から見た平面視で半円形状とされ、その円弧部分を後側に向けた状態で、第２貫通孔４１内に配置されている。また、回動板２０２の前部であって、他方向Ｌ２に沿う中央部には、下方に向けて穿刺体６１が突設されている。また、指掛け部３５の後部には、指掛け部３５を容器軸Ｏ方向で貫通するとともに、穿刺体６１を収容する収容孔２０４が形成されている。
【００３６】
そして、回動板２０２は、後端縁が他方向Ｌ２に沿って延びるヒンジ部２０３を介して指掛け部３５に連結されている。また、回動板２０２の円弧部分のうち、ヒンジ部２０３との連結部以外の部分は弱化部２０５を介して指掛け部３５に連結されている。なお、弱化部２０５は、回動板２０２の操作時において、指掛け部３５に対して回動板２０２を変位可能とする構成であれば、指掛け部３５に対して薄肉に形成された薄肉部や、指掛け部３５と回動板２０２との間を容器軸Ｏ方向に貫通するスリット、またスリット間に破断可能な連結片を配設する構成等、適宜設計変更が可能である。
【００３７】
この構成によれば、カップ体２の内圧上昇時には、上方に向けて膨張したシール材２４が穿刺体６１に当接することで、穿刺体６１がシール材２４を穿刺して、カップ体２の内圧を開放することができる。
一方、蓋付カップ容器１の開封時において、指掛け部３５の第２貫通孔４１内に指を挿入する際、回動板２０２の前部を押し込むことで、回動板２０２がヒンジ部２０３周りに回動することになる。これにより、回動板２０２が第２貫通孔４１内から退避して、第２貫通孔４１の開口が広がる。その結果、開封部材２０１によりシール材２４を開封する際に、第２貫通孔４１内に指を挿入し易くなる。この場合、開封部材２０１を用いたシール材２４の開封操作性を阻害することなく、第２貫通孔４１内に穿刺体６１を配設することができる。
なお、図示の例において、回動板２０２を指掛け部３５と容器軸Ｏ方向で重なる位置まで回動させることで、穿刺体６１が下方から収容孔２０４内に収容されることになる。これにより、回動板２０２の復元変位を規制することができる。
【００３８】
さらに、図８、図９に示す開封部材３０１は、第２貫通孔４１内に位置する可動板３０２と、指掛け部３５に対して可動板３０２を容器軸Ｏ方向に移動可能に支持する弾性連結片３０３と、を有している。
【００３９】
可動板３０２は、容器軸Ｏと同軸状に配置された円板状とされ、その外径が第２貫通孔４１の内径よりも小さくなっている。また、可動板３０２の中心には、下方に向けて穿刺体６１が立設されている。
弾性連結片３０３は、指掛け部３５と可動板３０２との間を周方向に沿って延在するとともに、周方向の一端部が指掛け部３５の内周縁に連結され、他端部が可動板３０２の外周縁に連結されている。また、弾性連結片３０３は、周方向に間隔をあけて複数（図示の例では２つ）配設され、そのうち指掛け部３５との連結部分同士、及び可動板３０２との連結部分同士が径方向で対向している。
【００４０】
この構成によれば、カップ体２の内圧上昇時には、上方に向けて膨張したシール材２４が穿刺体６１に当接することで、穿刺体６１がシール材２４を穿刺して、カップ体２の内圧を開放することができる。
一方、蓋付カップ容器１の開封時において、指掛け部３５の第２貫通孔４１内に指を挿入する際、可動板３０２を押し込むことで、弾性連結片３０３を介して可動板３０２が下方に向けて移動することになる。これにより、可動板３０２が第２貫通孔４１から退避する。その結果、開封部材３０１によりシール材２４を開封する際に、第２貫通孔４１内に指を挿入し易くなる。この場合、開封部材３０１を用いたシール材２４の開封操作性を阻害することなく、第２貫通孔４１内に穿刺体６１を配設することができる。
【００４１】
さらに、上述した実施形態では、穿刺体６１を単数設ける場合について説明したが、これに限らず、複数設けても構わない。
また、上述した実施形態では、穿刺体６１の下端が第１貫通孔３１よりも上方に位置する場合について説明したが、これに限らず、第１貫通孔３１内に位置しても、第１貫通孔３１を通して天壁部２２よりも下方に位置しても構わない。
【００４２】
また、上述した実施形態では、第１貫通孔３１の上方に開封部材を配置した場合について説明したが、第１貫通孔３１内に開封部材を配置しても構わない。
【００４３】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４４】
１…蓋付カップ容器
２…カップ体
２ａ…開口部
３…蓋体
２４…シール材
３１…第１貫通孔
３３，１０１，２０１，３０１…開封部材
４１…第２貫通孔
６１…穿刺体
【図１】
2015105102.tif 000003
【図２】
2015105102.tif 000004
【図３】
2015105102.tif 000005
【図４】
2015105102.tif 000006
【図５】
2015105102.tif 000007
【図６】
2015105102.tif 000008
【図７】
2015105102.tif 000009
【図８】
2015105102.tif 000010
【図９】
2015105102.tif 000011